(57)【要約】      （修正有）【課題】包装用のひもや装飾用のリボン等を効率よく必要な長さだけ引き出すことができ、かつ、汚れによるロスを生じない構造を提供する。【解決手段】包装用のひもやリボンが汚れないような構造物をカウンターやサッカー台の天板内に設け、当該収納部から必要量のひもやリボンを引き出せる開口部を設ける。スーパーマーケットのレジカウンター近くに設置することにより、顧客が購入した商品を包装したり、プレゼント用にラッピングしたりすることが可能となる。その際、ひも状物は必要量だけ引き出すことが可能で、未使用部分は収納部内にあるので汚れることがない。また、引き出したあとのひも状物は蓋にあるひも状物取出し口に挟まれ、収納部内へ落ち込むことなく留まり、次回使用時にはすぐに引き出せる状態にあるため、非常に利便性が良い。【選択図】図１
0003146178.tif 000002
【実用新案登録請求の範囲】
【請求項１】
天板部に、巻き取られたひも状物を収納する収納部及び該収納部に設けた開口部を有し、該開口部より内部に収納されたひも状物を引き出すことが可能であることを特徴とする、ひも状物収納部を有するカウンター。
【請求項２】
カウンターの天板部に設けた開口部が、軟質性の蓋により覆われ、該蓋に設けたひも状物取り出し口からひも状物を引き出す事が可能である、請求項１に記載のカウンター。
【請求項３】
ひも状物がひも、ナイロンロープ若しくはリボンである、請求項１及び２記載のカウンター。
【考案の詳細な説明】
【技術分野】
【０００１】
本発明は、装飾用のリボンや梱包用のひも、ナイロンロープの収納部を有するカウンターに関する。詳しくは、商品等を装飾又は包装・梱包する際に使用するリボンやひも、ナイロンロープ等を収納し、カウンターの天板部に設けた開口部から該ひも状物を適宜必要量引き出すことにより、ひも状物の取り回しに煩わされることなく簡便にリボンによる装飾やひもによる包装・梱包を可能とする、ひも状物収納部付きカウンターに関する。
【背景技術】
【０００２】
スーパーマーケットやホームセンターの小売店のレジ周りに設置されているカウンターやサッカー台には、購入した商品を包装するナイロン製の袋やセロハンテープ等が備えられていることが多い。特に小売りされている商品を箱単位で購入したり、大型の製品を購入できる販売店や店舗では、包装や梱包用のひも、該ひもに引っかけて使うプラスチック製持ち手がレジやサッカー台等のカウンターに備えられていることが多い。
【０００３】
これらの備品（ナイロン袋やセロハンテープ、ひも等）は、利用者の妨げにならないようにカウンター上に、ナイロン袋のロールとセロハンテープが一体化されて設置されていることがほとんどである。また、包装袋については、サッカー台内部から排出される機構を有するものが開示されている（特許文献１）。
【０００４】
また、プレゼント用の品物等へ装飾用として使用されるリボンについては、店舗内の包装専用のスペースが設けられ、該スペースの壁側にリボンがまとめて吊り下げられたり、単に箱に入れられていることが多く、その中から顧客の要望に応じて適当な長さのリボンを引き出して切り、装飾や包装が行われている。
【特許文献１】特開平５−１１６０７８号公報
【考案の開示】
【考案が解決しようとする課題】
【０００５】
近年の傾向として、一般消費者であっても生活用品を購入するためにアウトレット店のような大型店へ出かけ、そこで大量の製品を購入するといったスタイルが増えつつある。そのような店舗では、極力包装を抑えコスト削減に努めているため、購入した商品を持ち帰るための包装等は顧客自身が行うこととなる。その際に、従来のサッカー台に備えられていたナイロン袋やセロハンテープでは少量の購入品の包装にしか足りず、箱単位での購入品を梱包用のひも等で製品を縛り、或いはより大きな箱に詰め、その箱を持ち運ぶために梱包用のひもをかけ、持ち手を付けるといった作業が行われている。
【０００６】
また、プレゼント品への装飾用に利用されるリボンは、ロール状に巻かれた状態にあるが、使用時に不必要な長さのリボンが引き出され、また巻き直しが必要になったり、汚れて使えなくなったりすることがあった。
【０００７】
以上のような状況下、包装用のひもや装飾用のリボン等を効率よく必要な長さだけ引き出すことができ、かつ、汚れによるロスを生じない、そのような対応方法が求められていた。
【課題を解決するための手段】
【０００８】
本願考案者は検討を行った結果、包装用のひもやリボンが汚れないような構造物内に収納し、当該収納部から必要量のひもやリボンを引き出せる開口部をカウンター天板部に設けることにより、上記課題が解決されるとの知見を得るに至り、本発明を完成した。
【０００９】
即ち本願発明は、巻き取られたひも状物を収納する収納構造を有するカウンターに関するものである。
【考案の効果】
【００１０】
本考案によれば、レジ周りに設置されているカウンターやサッカー台等において包装用のひもやリボンを必要なだけ引き出して利用することができ、使用後も台上に余剰のひも等が残っているということがない、美観にも優れた環境を提供できる。
【考案を実施するための最良の形態】
【００１１】
本考案にかかるカウンターとは、一般のスーパーやホームセンターで使用されているレジ周りのカウンターやサッカー台等が対象となり、その素材、大きさには何ら制限はなく、従来利用されているもので良い。
【００１２】
本考案に関するカウンターは、従来のカウンターの一部を改良することで実現することが可能である。即ち、カウンターの天板部にひも状物の収納部を設け、該収納部を、開口部を有する板状物で覆うことにより達成できる。
【００１３】
開口部はカウンターの天板部とひも状物収納部を貫通するように穿たれ、その形状・大きさは特に制限されないが、加工が容易なように円形、楕円形、長方形又は正方形が好ましいが、星形や台形等にすることも可能である。その大きさもひも状物を取り出しやすい大きさとすればよく、具体的には円形であれば直径２〜５ｃｍ程度、方形であれば一辺２〜５ｃｍの範囲であればよい。開口部が小さすぎるとひも状物を通しにくく、必要以上に大きすぎても意味をなさないためである。
【００１４】
次いで、上述の開口部には軟質性の素材からなる蓋を設けることが好ましい。利用可能な素材としては、ひも状物を適度な抵抗を持って保持できる硬さを有するものであれば制限無く使用することが可能であり、具体的にはゴムや軟質性のプラスチックなどが例示できる。蓋の形状・大きさは、開口部の形状・大きさに付随するものであればよい。
【００１５】
蓋には、ひも状物を取り出すためのひも状物取り出し口を設ける。当該ひも状物取り出し口は、蓋の内径よりも１割程度短い長さとし、具体的には直径２〜５ｃｍの円形状の蓋であれば、蓋の直径を通る長さ１．８〜４．５ｃｍの切り込みを設ければ良く、穴を設ける場合は、ひも状物が適度に保留する程度の抵抗を有するように直径０．２〜０．５ｃｍ程度の穴を設ければよい。このひも状物取り出し口が小さすぎると、ひも状物を通す際に不便であり、大きすぎるとひも状物を適度に保持できず、ひも状物が収納部へ落下してしまうこため好ましくない。蓋に設けるひも状物取り出し口に設ける切り込みは、１本でも複数本でもよく、任意の本数にすることができる。具体的には、軟質性のプラスチックで成形した円形の蓋の中心点を通る、３本の切れ込みを入れる形態が例示できる（図３参照）。
【００１６】
このような蓋を取り付けることにより適度な負荷がかかり、ひも状物が勢いよく引き出される事態を防ぐことができる。また、内部への水や埃の侵入を防止する効果をも有する。
【００１７】
ひも状物を収納する収納部の大きさは、ロール状又は球状に巻き取ったひも状物が収納できる大きさであればよく、その大きさは特に限定されないが一辺５〜５０ｃｍ程度の直方体が例示できる。収納部の深さは、ロール状等に巻き取ったひも状物が納まる程度の深さでよく、５〜２０ｃｍの範囲が好ましい。複数本のひも状物（例えば複数色のリボン）を収納するためのカウンターであれば、上記収納部をカウンターの両端或いは中心部分に設けることができる。その際の収納部の大きさは、上記直方体を収納するひも状物の数だけ組み合わせてもよく、或いは複数本のひも状物を一つの収納部に収納できるように、例えば１０ｃｍ×５０ｃｍのようにカウンターの短辺又は長辺と等しい長さとしても良い。カウンターの天板面全てを収納部とすることも可能であるが、カウンター本来の目的を達成するための妨げとなる可能性があるため好ましくない。
【００１８】
収納部の具体例としては、例えば奥行５０ｃｍ、幅１５０ｃｍのカウンターであれば、カウンターの長辺の両端または中心部に幅１０ｃｍ、長さ５０ｃｍの収納部を短辺に対し並行に設け、等間隔に３つの開口部を設け、１本のひも状物取り出し口を入れたゴム製の蓋を取り付ける。それぞれに簡単な包装用のひも、大きめの箱を吊り下げられる程度のナイロン製のひも、プレゼント用の装飾ができるリボンを収納する。これらひもやリボンの間には、適度な間仕切りを設け、収納部内でリボンやひもの絡まりを防ぐこともできる。
【００１９】
そして、本考案のカウンターに収納して使用するひも状物とは、製品や商品の梱包や装飾に利用できるものであれば特に制限無く利用することが可能である。具体的には、梱包用材としてＰＰヒモ、紙ヒモ、麻ヒモ、凧糸、ナイロンテープ、ビニロンテープ、ナイロンテグス、紙こより、ナイロンロープ、ビニロンロープ、綿ロープ及びモールが例示でき、これらを玉状に巻き取ったもの、レコード状に巻き取ったもの等、市販されている形状そのまま収納することが可能である。
【００２０】
以上のようなカウンターを、スーパーマーケットのレジカウンター近くに設置することにより、顧客が購入した商品を包装したり、プレゼント用にラッピングしたりすることが可能となる。その際もひも状物は必要量だけ引き出すことが可能で、未使用部分は収納部内にあるので汚れることがない。また、引き出したあとのひも状物は蓋にあるひも状物取出し口に挟まれ、収納部内へ落ち込むことなく留まり、次回使用時にはすぐに引き出せる状態にあるため、非常に利便性が良い。
【００２１】
次に、図面をもって本考案を説明する。
図１にあるカウンター（サッカー台）の端部天板内に、図２に示すようなひも状物（２）を収納する収納部（４）を設け、天板上部に開口部と蓋（３）を設けた。開口部の直径は４ｃｍとし、軟質製ゴムの蓋を取り付けた。蓋には中心点を通る長さ３ｃｍの切り込みを１本入れ、これをひも状物取り出し口（５）とした。
【００２２】
図１では、ラッピング包装やプレゼント用に使用する４種類のリボン（２）を収納部（４）に納め、蓋に設けたひも状物取り出し口からその先端１０ｃｍを出しておいた。使用時にはこのひも状物取り出し口から出ている先端を持ち、引き出してカットすることで、使用しないリボンが汚れたりすることなく、包装を行うことができた。図２では、収納部に装飾用のリボン２種類と梱包用の麻ひもを収納した。尚、収納部へ収納するひも状物の数量・組み合わせは任意のものとすることが可能であり、設置する店舗の種類、態様に応じて適宜選択することができる。
【図面の簡単な説明】
【００２３】
【図１】カウンター（サッカー台）の端にひも状物収納部を設け、４種類のひも状物を引き出した状態図
【図２】３種類のひも状物を収納した収納部の透視図
【図３】ひも状口取り出し口として、３本の切れ込みを設けた蓋
【符号の説明】
【００２４】
１  カウンター
２  ひも状物
３  開口部と蓋
４  収納部
５  蓋に設けたひも状物取り出し口
【図１】
0003146178.tif 000003
【図２】
0003146178.tif 000004
【図３】
0003146178.tif 000005